(57)【要約】【課題】高出力の電動刈り払い機の電源として低出力の電動刈り払い機用のバッテリを用いることで、高出力の電動刈り払い機の利便性及び取り扱い性を高める。【解決手段】電動刈り払い機１０は、操作竿１２と、操作竿１２の先端部に配置されるカッターコード２０と、カッターコード２０を回転させる電動モータ１８と、電動モータ１８に給電する充電式のバッテリ１００を着脱可能に取り付けるバッテリ取り付け部とを備える。操作竿１２の把持ハンドル部２４に２個のバッテリ取り付け部を備える。【選択図】図２
2014147355.tif 000002
【特許請求の範囲】
【請求項１】
操作竿と、
前記操作竿の先端部に配置される回転刃と、
前記回転刃を回転させる電動モータと、
前記電動モータに給電する充電式のバッテリを着脱可能に取り付けるバッテリ取り付け部と
を備える電動刈り払い機であって、
前記操作竿に前記バッテリ取り付け部を複数備えることを特徴とする電動刈り払い機。
【請求項２】
請求項１に記載の電動刈り払い機であって、
前記操作竿は、基部側に連続状をなす把持ハンドル部を有し、
前記把持ハンドル部に、少なくとも１個のバッテリ取り付け部を備える
ことを特徴とする電動刈り払い機。
【請求項３】
請求項２に記載の電動刈り払い機であって、
前記複数のバッテリ取り付け部は、通常姿勢を基準とする前記操作竿の把持ハンドル部の左右方向の中心を通る一平面に対して、左右各方向に前記把持ハンドル部の左右方向の幅の１．５倍の距離オフセットした範囲内に、前記複数のバッテリ取り付け部にバッテリをそれぞれ取り付けた電動刈り払い機の重心が位置するように構成することを特徴とする電動刈り払い機。
【請求項４】
請求項１に記載の電動刈り払い機であって、
前記バッテリ取り付け部を２個とすることを特徴とする電動刈り払い機。
【請求項５】
請求項４に記載の電動刈り払い機であって、
前記２個のバッテリ取り付け部は、通常姿勢を基準とする前記操作竿の把持ハンドル部の左右方向の中心を通る一平面に対して、各バッテリ取り付け部にそれぞれ取り付けた各バッテリの重心が左右に位置するように構成することを特徴とする電動刈り払い機。
【請求項６】
請求項４又は５に記載の電動刈り払い機であって、
前記２個のバッテリ取り付け部は、２個のバッテリを長手方向に交差する方向に並列状に取り付けるように構成することを特徴とする電動刈り払い機。
【請求項７】
請求項１〜６のいずれか１つに記載の電動刈り払い機であって、
前記操作竿には、肩掛けバンドのフックを掛止するフック掛止部が設けられ、
前記フック掛止部の付近に、少なくとも１個の前記バッテリ取り付け部を備える
ことを特徴とする電動刈り払い機。
【請求項８】
請求項１〜７のいずれか１つに記載の電動刈り払い機であって、
前記複数のバッテリ取り付け部は、前記バッテリとしての電動工具用バッテリを着脱可能であることを特徴とする電動刈り払い機。
【発明の詳細な説明】
【技術分野】
【０００１】
本発明は、草木の刈り払い作業に用いられる園芸工具であって、充電式のバッテリパック（「バッテリ」という）を電源として用いる電動刈り払い機（電動草刈り機を含む）に関する。
【背景技術】
【０００２】
特許文献１には、操作竿と、操作竿の先端部に配置される回転刃と、回転刃を回転させる電動モータと、電動モータに給電する充電式のバッテリを着脱可能に取り付ける１個のバッテリ取り付け部とを備える電動刈り払い機が開示されている。
【０００３】
ところで、電動刈り払い機に限らず、ねじ締め機やマルノコ等の電動工具のバッテリには、出力電圧が、例えば１８Ｖや３６Ｖのものが提供されている。主として、手持ち工具で比較的小型で低出力の機種であれば１８Ｖ出力のバッテリ（１８Ｖバッテリ）が用いられ、また、１８Ｖより高出力を要する比較的大型で高出力の機種であれば３６Ｖ出力のバッテリ（３６Ｖバッテリ）が用いられる。近年、大型の電動工具についてもコードレス化が図られており、これに伴って３６Ｖバッテリが普及してきているが、依然として１８Ｖバッテリが主流であり広く普及している。また、通常、電動工具の使用者は、予備バッテリを複数個用意して、これを充電しておくことにより、一台の電動工具でバッテリを取り替えながら長時間連続して使用（作業）できるようにしている。この点でも、３６Ｖバッテリよりも１８Ｖバッテリの方が広く普及している。さらに、電動工具用バッテリは、同一電源仕様の別の電動工具間で使い回しできるようになっている。１８Ｖ仕様の電動工具の機種が豊富で広く普及していることもあって、１８Ｖバッテリの普及度は３６Ｖバッテリよりも大幅に高い。
【先行技術文献】
【特許文献】
【０００４】
【特許文献１】特開２０１１−４９号公報
【発明の概要】
【発明が解決しようとする課題】
【０００５】
従来、３６Ｖバッテリを専用電源とする高出力の電動刈り払い機について、３６Ｖより広く普及している１８Ｖバッテリを流用することができないため、使用者は高出力の電動刈り払い機専用の３６Ｖバッテリを用意せざるを得ず、この点でコスト高になる問題があり、また高出力の電動刈り払い機の取り扱い性をより高める余地があった。
そこで、本発明は、高出力の電動刈り払い機の電源として低出力の電動刈り払い機用のバッテリを用いることで、高出力の電動刈り払い機の利便性及び取り扱い性を高めることを目的とする。
【課題を解決するための手段】
【０００６】
第１の発明は、操作竿と、操作竿の先端部に配置される回転刃と、回転刃を回転させる電動モータと、電動モータに給電する充電式のバッテリを着脱可能に取り付けるバッテリ取り付け部とを備える電動刈り払い機であって、操作竿にバッテリ取り付け部を複数備える。この構成によると、操作竿に備えた複数のバッテリ取付部にバッテリをそれぞれ取り付けることにより、高出力の電動刈り払い機の電源として低出力用のバッテリを複数用いることができる。これにより、高出力の電動刈り払い機の利便性及び取り扱い性を高めることができる。
【０００７】
第２の発明は、第１の発明において、操作竿は、基部側に把持ハンドル部を有し、把持ハンドル部に、少なくとも１個のバッテリ取り付け部を備える。この構成によると、操作竿の把持ハンドル部に少なくとも１個のバッテリ取り付け部を備えることにより、電動刈り払い機の利便性及び取り扱い性を高めることができる。
【０００８】
第３の発明は、第２の発明において、複数のバッテリ取り付け部は、通常姿勢を基準とする操作竿の把持ハンドル部の左右方向の中心を通る一平面に対して、左右各方向に把持ハンドル部の左右方向の幅の１．５倍の距離オフセットした範囲内に、複数のバッテリ取り付け部にバッテリをそれぞれ取り付けた電動刈り払い機の重心が位置するように構成する。この構成によると、電動刈り払い機の重量バランスを向上することができる。ひいては、電動刈り払い機の作業性を高めることができる。
【０００９】
第４の発明は、第１の発明において、バッテリ取り付け部を２個とする。この構成によると、２個のバッテリ取付部にバッテリをそれぞれ取り付けることにより、２個のバッテリを用いることができる。
【００１０】
第５の発明は、第４の発明において、２個のバッテリ取り付け部は、通常姿勢を基準とする操作竿の把持ハンドル部の左右方向の中心を通る一平面に対して、各バッテリ取り付け部にそれぞれ取り付けた各バッテリの重心が左右に位置するように構成する。この構成によると、電動刈り払い機の重量バランスを向上することができる。ひいては、電動刈り払い機の作業性を高めることができる。
【００１１】
第６の発明は、第４又は第５の発明において、２個のバッテリ取り付け部は、２個のバッテリを長手方向に交差する方向に並列状に取り付けるように構成する。この構成によると、操作竿に２個のバッテリをコンパクトに配置することができる。
【００１２】
第７の発明は、第１〜第６のいずれかの発明において、操作竿には、肩掛けバンドのフックを掛止するフック掛止部が設けられ、フック掛止部の付近に、少なくとも１個のバッテリ取り付け部を備える。この構成によると、肩掛けバンドの使用時における電動刈り払い機の安定性を高めることができる。
【００１３】
第８の発明は、第１〜第７のいずれかの発明において、複数のバッテリ取り付け部は、バッテリとしての電動工具用バッテリを着脱可能である。この構成によると、複数のバッテリ取り付け部に電動工具用バッテリをそれぞれ着脱することができる。このため、電動工具用バッテリの汎用性を高めることができる。
【図面の簡単な説明】
【００１４】
【図１】実施形態１に係る電動刈り払い機を示す斜視図である。
【図２】電動刈り払い機を示す左側面図である。
【図３】電動刈り払い機を示す背面図である。
【図４】電動刈り払い機を示す下面図である。
【図５】肩掛けバンドを取り付けた電動刈り払い機の上部を示す斜視図である。
【図６】バッテリを示す斜視図である。
【図７】バッテリを取り外したバッテリ取り付け基台部を示す下面図である。
【図８】実施形態２に係る電動刈り払い機を示す斜視図である。
【図９】電動刈り払い機を示す左側面図である。
【図１０】電動刈り払い機を示す背面図である。
【図１１】電動刈り払い機を示す下面図である。
【図１２】実施形態３に係る電動刈り払い機を示す斜視図である。
【図１３】電動刈り払い機を示す左側面図である。
【図１４】電動刈り払い機を示す背面図である。
【図１５】電動刈り払い機を示す下面図である。
【図１６】実施形態４に係る電動刈り払い機を示す左側面図である。
【図１７】電動刈り払い機を示す下面図である。
【図１８】実施形態５に係る電動刈り払い機を示す左側面図である。
【図１９】実施形態６に係る電動刈り払い機を示す左側面図である。
【図２０】電動刈り払い機を示す背面図である。
【図２１】実施形態７に係る電動刈り払い機を示す左側面図である。
【図２２】実施形態８に係る電動刈り払い機を示す左側面図である。
【図２３】実施形態９に係る電動刈り払い機を示す左側面図である。
【図２４】実施形態１０に係る電動刈り払い機を示す左側面図である。
【図２５】実施形態１１に係るバッテリを取り外したバッテリ取り付け基台部を示す下面図である。
【図２６】実施形態１２に係るバッテリ周辺部を示す側面図である。
【図２７】変更例に係るバッテリ周辺部を示す斜視図である。
【図２８】変更例に係るバッテリ周辺部を示す斜視図である。
【図２９】実施形態１３に係るバッテリ周辺部を示す側面図である。
【図３０】変更例に係るバッテリ周辺部を示す側面図である。
【図３１】変更例に係るモータハウジングを示す側面図である。
【図３２】実施形態１に係るバッテリを示す平面図である。
【図３３】バッテリを示す側断面図である。
【発明を実施するための形態】
【００１５】
以下、本発明を実施するための形態について図面を用いて説明する。
【００１６】
［実施形態１］
実施形態１を説明する。本実施形態では手持ち式の電動刈り払い機を例示する。説明の都合上、電動刈り払い機の前後上下の各方向は、電動刈り払い機が使用者によって普通に使用される際の姿勢（「通常姿勢」という）を基準とする。また、電動刈り払い機の左右は、電動刈り払い機を使用する使用者から見た左右に対応している。図１は電動刈り払い機を示す斜視図、図２は同じく左側面図、図３は同じく背面図、図４は同じく下面図である。
【００１７】
図１〜図４に示すように、電動刈り払い機１０は、長尺状の操作竿１２を備えている。操作竿１２は、通常姿勢において、前下がりで後上がりの傾斜状態として使用される。なお、操作竿１２の後端部は本明細書でいう「基端部」に相当し、その前端部は本明細書でいう「先端部」に相当する。操作竿１２の前端部（先端部）には、例えば樹脂製のモータハウジング１４が設けられている。モータハウジング１４の下部には、コードホルダ１６が上下方向に延びる軸を中心として回転可能に支持されている。また、モータハウジング１４内には、原動機である電動モータ１８（図２参照）が設置されている。また、電動モータ１８の出力軸とコードホルダ１６とは、ギヤ伝達機構（図示省略）を介して連繋されている。電動モータ１８によってギヤ伝達機構を介してコードホルダ１６が回転駆動される。
【００１８】
前記コードホルダ１６には、紐状のカッターコード２０が巻装された状態で保持されている。カッターコード２０の先端部は、コードホルダ１６から引き出されている。カッターコード２０は、コードホルダ１６とともに高速で回転することにより草木を切断する。また、カッターコード２０には、例えばナイロンコードが用いられる。なお、カッターコード２０は本明細書でいう「回転刃」に相当する。また、カッターコード２０に代えて、チップソーカッターを用いてもよい。
【００１９】
前記モータハウジング１４には、例えば樹脂製のセーフティカバー２２が設けられている。セーフティカバー２２は、前記カッターコード２０による草木の刈り払い時に、草木や石等が使用者に向けて飛散することを防止する。なお、セーフティカバー２２は、モータハウジング１４に代えて、操作竿１２に設けてもよい。
【００２０】
前記操作竿１２は、その後端部（基端部）に連続状をなす把持ハンドル部２４を有する。把持ハンドル部２４は、前後方向に延びる長円環状で、その中空部が左右方向に貫通している。把持ハンドル部２４における把持部分を含む周辺部分は、前後方向に同一又は略同一幅Ａ（図３及び図４参照）で形成されている。また、操作竿１２の中央部上には、フロントグリップ２６が設けられている。フロントグリップ２６は、角型環状で、その中空部が操作竿１２の長手方向と平行又は略平行をなす方向に貫通している。通常、使用者は、一方の手で把持ハンドル部２４を把持し、他方の手でフロントグリップ２６を把持した状態で電動刈り払い機１０を使用する。また、把持ハンドル部２４の内周側の前上部には、起動スイッチであるトリガスイッチ２８（図２参照）が設けられている。
【００２１】
前記フロントグリップ２６の下辺部の中央部には、その太さを細くしたフック掛止部３０（図１参照）が形成されている。図５は肩掛けバンドを取り付けた電動刈り払い機の上部を示す斜視図である。図５に示すように、肩掛けバンド３２は、長さ調整可能なループ状のバンド本体３４と、バンド本体３４に取り付けられたフック３６とを有する。フック３６をフロントグリップ２６のフック掛止部３０に着脱可能に掛止することにより、電動刈り払い機１０に肩掛けバンド３２を装着することができる。使用者は、肩掛けバンド３２を肩に掛けて、電動刈り払い機１０を使用することができる。なお、フック掛止部３０は、フロントグリップ２６に代え、操作竿１２に設けてもよい。また、フック掛止部３０は、肩掛けバンド３２のフック３６を掛止可能であればよく、その形状は適宜変更してもよい。
【００２２】
図２及び図３に示すように、前記把持ハンドル部２４の下側には、四角形平板状のバッテリ取り付け基台部５０が水平状に設けられている。バッテリ取り付け基台部５０の左右両端部は、把持ハンドル部２４の左右対称状に張り出している。バッテリ取り付け基台部５０の下面が、バッテリ取り付け側の面となっている。バッテリ取り付け基台部５０の下面には、前後２個のバッテリ取り付け部５２（後述する）が設けられる。前後２個のバッテリ取り付け部５２には、それぞれバッテリ１００が着脱可能に取り付けられている。すなわち、電動刈り払い機１０は、２個のバッテリ１００を電源とするコードレスタイプの電動刈り払い機である。なお、バッテリ取り付け基台部５０のバッテリ取り付け部５２については後で説明する。
【００２３】
次に、前記バッテリ１００について説明する。図６はバッテリを示す斜視図である。図３２は同じく平面図、図３３は同じく側断面図である。
バッテリ１００は、前記電動刈り払い機１０（図１〜図４参照）から取り外して、別途用意した充電器（図示省略）によって充電することにより、繰り返し使用することができる充電式のバッテリである。また、バッテリ１００は、スライド着脱式のバッテリである。なお、本明細書でいう「スライド着脱式のバッテリ」とは、バッテリ取り付け部５２（後述する）のバッテリ取り付け側の面に対して、バッテリ１００の取り付け側の面をスライドさせることによって着脱する形式のバッテリのことをいう。また、バッテリ１００としては、ねじ締め機やマルノコ等の電動工具用バッテリが用いられる。
【００２４】
図３３に示すように、前記バッテリ１００は、バッテリケース１０２内に複数（図３３では１０本を示す）のバッテリセル１０３を収容してなる１８Ｖ出力のリチウムイオンバッテリパックである。バッテリセル１０３は円柱状に形成されている。バッテリケース１０２内に対して、１０本のバッテリセル１０３は、上下２段で、その長手方向を幅方向（図３３において紙面表裏方向）に向けた状態で収容されている。
【００２５】
図６に示すように、前記バッテリ１００のバッテリケース１０２は、直方体状に形成されている。バッテリ１００の長さＬと幅Ｗと高さＨの寸法は、
Ｌ＞Ｗ＞Ｈ
の関係にある。説明の都合上、バッテリ１００については、長さ方向を前後方向とし、幅方向を左右方向とし、高さ方向を上下方向とする。また、バッテリケース１０２の上面（「バッテリ上面」という）を取り付け側の面とし、その前面（「バッテリ前面」という）を取り付け方向側の面とし、その後面（「バッテリ後面」という）を取り外し方向側の面として説明を行う。
【００２６】
図６及び図３２に示すように、前記バッテリケース１０２は、その上面に、左右一対のレール部１０４、正極側接続端子１０６、負極側接続端子１０８、充電器の制御信号送受信用のコネクタ１１０を備えている。また、バッテリケース１０２の上面側の後端部には、ロック爪１１２が上下方向に出没可能に設けられている。
また、図３３に示すように、ロック爪１１２は、通常は、スプリング１１３により上方（突出方向）へ付勢されており、バッテリケース１０２の後面に設けられたロック解除ボタン１１４をスプリング１１３の付勢に抗して押動操作することによりバッテリケース１０２内へ退避させることができる。
【００２７】
次に、前記バッテリ取り付け基台部５０の前後２個のバッテリ取り付け部５２について説明する。図７はバッテリを取り外したバッテリ取り付け基台部を示す下面図である。
図７に示すように、バッテリ取り付け基台部５０の前後２個のバッテリ取り付け部５２は、同一構成をなすものであるから、前側のバッテリ取り付け部５２について説明し、後側のバッテリ取り付け部５２についての説明を省略する。
【００２８】
バッテリ取り付け部５２は、前記バッテリ１００を左方から取り付け可能で、逆に左方へ取り外し可能に構成されている（図７中、白抜き矢印参照）。バッテリ取り付け部５２の下面側には、前後一対のレール部５４、正極側接続端子５６、負極側接続端子５８が設けられている。また、バッテリ取り付け部５２の左端部には、上方（図７において紙面裏方）へ凹む爪係合部６２が設けられている。爪係合部６２は、前記バッテリ１００のロック爪１１２を係合可能に形成されている。なお、バッテリ取り付け部５２は、バッテリコンバータやバッテリアダプタを用いることなく、バッテリ１００を直接的に取り付けるバッテリ直付け用バッテリ取り付け部となっている。また、バッテリ取り付け基台部５０は、バッテリ取り付け部５２を備えることから、広義に「バッテリ取り付け部」としてとらえることもできる。
【００２９】
前記バッテリ取り付け部５２（図７参照）に前記バッテリ１００（図６参照）を取り付ける場合を説明する。バッテリ取り付け部５２の左方において、バッテリ１００を、取り付け側の面（バッテリ上面）を上方（図７において紙面裏方）に向けかつ取り付け方向側の面（バッテリ前面）を右方に向けた状態とする。この状態で、バッテリ１００の一対のレール部１０４を、バッテリ取り付け部５２の一対のレール部５４に係合させるとともに、バッテリ１００を右方へ移動すなわちスライドさせる。これにより、バッテリ取り付け部５２の正極側接続端子５６にバッテリ１００の正極側接続端子１０６が接続されるとともに、バッテリ取り付け部５２の負極側接続端子５８にバッテリ１００の負極側接続端子１０８が接続される。このため、バッテリ取り付け部５２にバッテリ１００が電気的に接続される。また、バッテリ取り付け部５２の爪係合部６２に、バッテリ１００のロック爪１１２が係合することにより、バッテリ取り付け部５２にバッテリ１００が固定される。この状態がバッテリ１００の取り付け完了状態である。このようにして、２個のバッテリ取り付け部５２に２個のバッテリ１００が取り付けられる。
【００３０】
また、２個のバッテリ取り付け部５２は、２個のバッテリ１００の着脱方向（図７中、白抜き矢印参照）が前後に平行するように設けられている。すなわち、２個のバッテリ１００は、前後に並列状に配置される。また、２個のバッテリ１００は、長手方向（バッテリ１００の前後方向）に交差する方向（バッテリ１００の幅Ｗ方向）に並列状に配置される。
【００３１】
前記２個のバッテリ１００の取り付け完了状態において、２個のバッテリ１００がそれぞれのバッテリ取り付け部５２を介して前記電動モータ１８（図２参照）に電気的に接続される。このため、電動モータ１８は、２個のバッテリ１００から供給される電力（給電）によって動作する。また、２個のバッテリ１００すなわち１８Ｖバッテリが直列に接続されることにより、３６Ｖバッテリとして利用される。従って、直列に接続された２個のバッテリ１００により出力される３６Ｖ電源により、電動モータ１８が動作する。
【００３２】
また、バッテリ１００の取り付け完了状態において、バッテリ１００のロック解除ボタン１１４（図２参照）を操作することによって、バッテリ取り付け部５２の爪係合部６２に対するロック爪１１２の係合を解除した状態で、バッテリ１００を左方へ移動すなわちスライドさせる。これにより、バッテリ取り付け部５２からバッテリ１００を取り外すことができる。
【００３３】
また、２個のバッテリ取り付け部５２は、通常姿勢を基準とする操作竿１２の把持ハンドル部２４の左右方向の中心を通る一平面Ｆ１に対して、左右各方向に把持ハンドル部２４の左右方向の幅Ａの１．５倍の距離オフセットした範囲Ｒ（図３及び図４参照）内に、２個のバッテリ取り付け部５２にバッテリ１００をそれぞれ取り付けた電動刈り払い機１０の重心が位置するように構成されている。
【００３４】
また、２個のバッテリ取り付け部５２は、通常姿勢を基準とする操作竿１２の把持ハンドル部２４の左右方向の中心を通る一平面Ｆ１に対して、範囲Ｒ（図３及び図４参照）内において、各バッテリ取り付け部５２にそれぞれ取り付けた各バッテリ１００の重心が左右に位置するように構成されている。
【００３５】
以上のように構成した本実施形態に係る電動刈り払い機１０によれば、操作竿１２に備えた２個のバッテリ取付部５２にバッテリ１００（低出力用の１８Ｖバッテリ）をそれぞれ取り付けることにより、高出力（定格電圧３６Ｖ）の電動刈り払い機１０の電源として低出力用のバッテリ１００を２個用いることができる。これにより、高出力の電動刈り払い機１０の利便性及び取り扱い性を高めることができる。特に、予備バッテリ等を含めて現在広く普及している１８Ｖバッテリを流用することができ、これにより高価な３６Ｖバッテリを別途購入することなく、３６Ｖ仕様で高出力の電動刈り払い機１０を利用でき、これにより、刈り払い作業の低コスト化及び作業性の向上を図ることができる点で顕著な作用効果を得ることができる。
【００３６】
また、操作竿１２は、基部側に連続状をなす把持ハンドル部２４を有し、把持ハンドル部２４に、２個のバッテリ取り付け部５２を備える。したがって、操作竿１２の把持ハンドル部２４に２個のバッテリ取り付け部５２を備えることにより、電動刈り払い機１０の利便性及び取り扱い性を高めることができる。
【００３７】
また、２個のバッテリ取り付け部５２は、通常姿勢を基準とする操作竿１２の把持ハンドル部２４の左右方向の中心を通る一平面Ｆ１に対して、左右各方向に把持ハンドル部２４の左右方向の幅Ａの１．５倍の距離オフセットした範囲Ｒ内に、２個のバッテリ取り付け部５２にバッテリ１００をそれぞれ取り付けた電動刈り払い機１０の重心が位置するように構成されている。したがって、電動刈り払い機１０の重量バランスを向上することができる。ひいては、電動刈り払い機１０の作業性を高めることができる。
【００３８】
なお、電動刈り払い機１０の幅方向について、電動刈り払い機１０（製品）の重心を一平面（基準面）Ｆ１上に位置させることが左右の重量バランスの観点から最も望ましいのであるが、現実には一平面Ｆ１に対して重心が左方又は右方にずれる場合がある。この場合であっても、一平面Ｆ１から左方又は右方にそれぞれ幅Ａの１．５倍（１．５Ａ）の距離オフセットした範囲Ｒ内に重心を位置させることにより、実質的に左右の良好な重量バランスを確保することができる。さらには、電動刈り払い機１０（製品）の重心は、把持ハンドル部２４の下方において、一平面Ｆ１に対して把持ハンドル部２４の左右方向の幅Ａの０．５倍（０．５Ａ）の距離だけ左右方向にオフセットした範囲内（幅Ａの範囲内）に配置するとよい。
【００３９】
また、２個のバッテリ取り付け部５２は、通常姿勢を基準とする操作竿１２の把持ハンドル部２４の左右方向の中心を通る一平面Ｆ１に対して、各バッテリ取り付け部５２にそれぞれ取り付けた各バッテリ１００の重心が左右に位置するように構成されている。したがって、電動刈り払い機１０の重量バランスを向上することができる。ひいては、電動刈り払い機１０の作業性を高めることができる。この場合、各バッテリ１００の重心は、前記一平面Ｆ１に対して、把持ハンドル部２４の左右方向の幅Ａの０．５倍（０．５Ａ）の距離だけ左右方向にオフセットした範囲内（幅Ａの範囲内）に配置するとよい。また、各バッテリ１００の重心は、通常姿勢を基準とする把持ハンドル部２４の左右方向の中心を通る一平面Ｆ１上、又は、一平面の近傍に配置するとよい。
【００４０】
また、２個のバッテリ取り付け部５２は、２個のバッテリ１００を長手方向に交差する方向に並列状に取り付けるように構成されている。したがって、操作竿１２に２個のバッテリ１００をコンパクトに配置することができる。この場合、２個のバッテリ１００の相互間（対向する側面間）には、両バッテリ取り付け部５２に対するバッテリ１００の着脱時において使用者の指が入る程度の間隔、例えば平均的な指の出し入れに要する最小間隔の１５ｍｍ以上の間隔を設定するとよい。なお、２個のバッテリ１００の相互間に使用者の指の出し入れの必要性がなければ、２個のバッテリ１００の相互間の間隔を小さくすることにより、２個のバッテリ１００の空間占有体積を少なくするとよい。また、容積が２００ｃｍ３以上あるような大きいバッテリの場合には、２個のバッテリ１００の相互間に使用者の指の出し入れの必要性がない又はほとんどないと考えられるため、２個のバッテリ１００の相互間の間隔を１５ｍｍ以下に設定することにより、２個のバッテリ１００の空間占有体積を少なくするとよい。
【００４１】
また、２個のバッテリ取り付け部５２は、バッテリ１００としての電動工具用バッテリを着脱可能である。したがって、２個のバッテリ取り付け部５２に電動工具用バッテリをそれぞれ着脱することができる。このため、電動工具用バッテリの汎用性を高めることができる。
【００４２】
［実施形態２］
実施形態２を説明する。本実施形態以降の実施形態は、前記実施形態１に変更を加えたものであるから、その変更部分について説明し、重複する説明は省略する。図８は電動刈り払い機を示す斜視図、図９は同じく左側面図、図１０は同じく背面図、図１１は同じく下面図である。
図８〜図１１に示すように、本実施形態は、実施形態１（図１〜図４参照）におけるバッテリ取り付け基台部５０を、操作竿１２の把持ハンドル部２４よりも前側すなわち把持ハンドル部２４とフロントグリップ２６の取り付け部分との間の中央部の後下側に対して傾斜状に配置したものである。
【００４３】
［実施形態３］
実施形態３を説明する。本実施形態は、前記実施形態１に変更を加えたものである。図１２は電動刈り払い機を示す斜視図、図１３は同じく左側面図、図１４は同じく背面図、図１５は同じく下面図である。
図１２〜図１５に示すように、本実施形態は、１個のバッテリ１００毎に、それぞれ独立した２個のバッテリ取り付け基台部（符号、５１を付す）を設定している。一方のバッテリ取り付け基台部５１を第１バッテリ取り付け基台部５１（符号、（１）を付す）といい、他方のバッテリ取り付け基台部５１を第２バッテリ取り付け基台部５１（符号、（２）を付す）という。
【００４４】
前記第１バッテリ取り付け基台部５１（１）は、前記操作竿１２のフロントグリップ２６の取り付け部分の後下側すなわちフック掛止部３０の付近に配置されている。第１バッテリ取り付け基台部５１（１）は、バッテリ１００を後方斜め上方から取り付け可能で、逆に後方斜め上方へ取り外し可能となるように配置されている（図１３中、白抜き矢印参照）。
【００４５】
前記第２バッテリ取り付け基台部５１（２）は、前記操作竿１２の把持ハンドル部２４の下側の前端部に配置されている。第２バッテリ取り付け基台部５１（２）は、バッテリ１００を後方から取り付け可能で、逆に後方へ取り外し可能となるように配置されている（図１３中、白抜き矢印参照）。
【００４６】
本実施形態によると、操作竿１２のフック掛止部３０の付近に、第１バッテリ取り付け基台部５１（１）を備える。したがって、肩掛けバンド３２（図５参照）の使用時における電動刈り払い機１０の安定性を高めることができる。
【００４７】
［実施形態４］
実施形態４を説明する。本実施形態は、前記実施形態１に変更を加えたものである。図１６は電動刈り払い機を示す左側面図、図１７は同じく下面図である。
図１６及び図１７に示すように、本実施形態は、実施形態１（図１〜図４参照）におけるバッテリ取り付け基台部５０が、バッテリ１００を後方から取り付け可能で、逆に後方へ取り外し可能となるように配置されている（図１６及び図１７中、白抜き矢印参照）。この場合、両バッテリ１００は左右に並列状に配置されている。
【００４８】
［実施形態５］
実施形態５を説明する。本実施形態は、前記実施形態３に変更を加えたものである。図１８は電動刈り払い機を示す左側面図である。
図１８に示すように、本実施形態は、実施形態３（図１３参照）における第１バッテリ取り付け基台部５１（１）が、操作竿１２の把持ハンドル部２４と操作竿１２のフロントグリップ２６の取り付け部分との間の中央部の後下側に配置されている。第１バッテリ取り付け基台部５１（１）は、バッテリ１００を後方から取り付け可能で、逆に後方へ取り外し可能となるように配置されている（図１８中、白抜き矢印参照）。これにより、第１バッテリ取り付け基台部５１（１）に対するバッテリ１００の着脱方向が、第２バッテリ取り付け基台部５１（２）に対するバッテリ１００の着脱方向と同方向とされている。
【００４９】
［実施形態６］
実施形態６を説明する。本実施形態は、前記実施形態１に変更を加えたものである。図１９は電動刈り払い機を示す左側面図、図２０は同じく背面図である。
図１９及び図２０に示すように、本実施形態は、実施形態１（図１〜図４参照）におけるバッテリ取り付け基台部５０が、操作竿１２の把持ハンドル部２４の後側に垂直状に配置されている。また。バッテリ取り付け基台部５０が、バッテリ１００を上方から取り付け可能で、逆に上方へ取り外し可能となるように配置されている（図１９及び図２０中、白抜き矢印参照）。この場合、両バッテリ１００は左右に並列状に配置されている。
【００５０】
［実施形態７］
実施形態７を説明する。本実施形態は、前記実施形態３に変更を加えたものである。図２１は電動刈り払い機を示す左側面図である。
図２１に示すように、本実施形態は、実施形態３（図１３参照）における第１バッテリ取り付け基台部５１（１）が、操作竿１２のフロントグリップ２６の取り付け部分と把持ハンドル部２４との間の中央部の前上側に配置されている。また、第２バッテリ取り付け基台部５１（２）が、操作竿１２の把持ハンドル部２４の上側の前端部に配置されている。また、両バッテリ取り付け基台部５１（１），５１（２）は、バッテリ１００を上方斜め後方から取り付け可能で、逆に上方斜め後方へ取り外し可能となるように配置されている（図２１中、白抜き矢印参照）。
【００５１】
［実施形態８］
実施形態８を説明する。本実施形態は、前記実施形態３に変更を加えたものである。図２２は電動刈り払い機を示す左側面図である。
図２２に示すように、本実施形態は、実施形態３（図１３参照）における第１バッテリ取り付け基台部５１（１）が、操作竿１２のフロントグリップ２６の取り付け部分と把持ハンドル部２４との間の中央部の後下側に配置されている。また、第２バッテリ取り付け基台部５１（２）が、操作竿１２の把持ハンドル部２４の前側の後下側において第１バッテリ取り付け基台部５１（１）の後側に並列状をなすように配置されている。また、両バッテリ取り付け基台部５１（１），５１（２）は、バッテリ１００を後方斜め下方から取り付け可能で、逆に後方斜め下方へ取り外し可能となるように配置されている（図２２中、白抜き矢印参照）。
【００５２】
また、各基台部５１（１），５１（２）にバッテリ１００がそれぞれ取り付けられた状態で、電動刈り払い機１０を地面３８上に横倒し状態に載置したときには、両バッテリ１００の取り外し方向側の端部が地面３８上に当接するようになっている（図２２中、二点鎖線１００参照）。これにより、電動刈り払い機１０の載置状態を安定化することができる。
【００５３】
［実施形態９］
実施形態９を説明する。本実施形態は、前記実施形態３に変更を加えたものである。図２３は電動刈り払い機を示す左側面図である。
図２３に示すように、本実施形態は、実施形態３（図１３参照）における両バッテリ取り付け基台部５１（１）、５１（２）が、操作竿１２のフロントグリップ２６の取り付け部分と把持ハンドル部２４との間の中央部の前上側に、操作竿１２の長手方向に沿って縦列状に配置されている。両バッテリ取り付け基台部５１（１），５１（２）は、バッテリ１００を後方斜め上方から取り付け可能で、逆に後方斜め下方へ取り外し可能となるように配置されている（図２３中、白抜き矢印参照）。
【００５４】
［実施形態１０］
実施形態１０を説明する。本実施形態は、前記実施形態３に変更を加えたものである。図２４は電動刈り払い機を示す左側面図である。
図２４に示すように、本実施形態は、実施形態３（図１３参照）における両バッテリ取り付け基台部５１（１）、５１（２）が、操作竿１２のフロントグリップ２６の取り付け部分の後下側に、操作竿１２の長手方向に沿って縦列状に配置されている。両バッテリ取り付け基台部５１（１），５１（２）は、バッテリ１００を後方斜め上方から取り付け可能で、逆に後方斜め下方へ取り外し可能となるように配置されている（図２３中、白抜き矢印参照）。
本実施形態によると、操作竿１２のフロントグリップ２６の取り付け部分の後下側すなわちフック掛止部３０（図５参照）の付近に、両バッテリ取り付け基台部５１（１），５１（２）が配置されている。したがって、肩掛けバンド３２（図５参照）の使用時における電動刈り払い機１０の安定性を一層高めることができる。
【００５５】
［実施形態１１］
実施形態１１を説明する。本実施形態は、前記実施形態１に変更を加えたものである。図２５はバッテリを取り外したバッテリ取り付け基台部を示す下面図である。
図２５に示すように、本実施形態は、実施形態１（図７参照）におけるバッテリ取り付け部５２のバッテリ取り付け方向の奥側（右側）に、取り付けられたバッテリ１００を取り外し方向に付勢する板ばね等の弾性部材６４が設けられている。この場合、バッテリ取り付け部５２には、バッテリ１００が弾性部材６４の弾性変形を利用して取り付けられる。バッテリ１００を取り外す時に、ロック解除ボタン１１４（図２参照）を操作すると、弾性部材６４の弾性復元力によりバッテリ１００が取り外し方向（左方）へ押し出される。
【００５６】
［実施形態１２］
実施形態１２を説明する。図２６はバッテリの周辺部を示す側面図、図２７及び図２８はバッテリ周辺部を示す斜視図である。複数（例えば２個）のバッテリを直列に接続する場合には、いずれか１つのバッテリの故障、放電によって製品（電動刈り払い機）が使用できなくなる。このため、どのバッテリの放電などにより、製品が停止したかを知るために、各バッテリの残容量の報知手段があることが望ましい。そして、表示による報知の場合、ユーザ（使用者）のバッテリ取り付け時、又は、製品使用時にユーザから見えるバッテリの位置に対応する位置に表示器を配置することが望ましい。
【００５７】
本実施形態では、図２６に示すように、前記実施形態１（図２参照）のバッテリ取り付け基台部５０の一側部に、各バッテリの残容量を表示する前後２個の表示部６６を備える表示器６５が配置されている。また、表示器６５の各表示部６６は、複数のバーで残容量を表示するもので、表示器６５に設けられた表示ボタン６７を操作することによりバッテリ１００の残容量を各表示部６６のランプの点灯により表示する。また、表示器６５の各表示部６６は、各バッテリ１００に対応している。すなわち、前側の表示器６５は前側のバッテリ１００に対応し、後側の表示器６５は後側のバッテリ１００に対応している。
【００５８】
また、図２７に示すように、前記表示器６５は、前記実施形態３（図８参照）の操作竿１２の一側面（左側面）側に、バッテリ取り付け基台部５０の一側部に隣接するように配置してもよい。また、図２８に示すように、表示器６５は、製品使用時に製品の上面側となる操作竿１２の上面側に配置することが望ましい。
【００５９】
本実施形態によると、使用者は、表示器６５の各表示部６６の表示により各バッテリ１００の残容量を知ることができるとともに、各バッテリ１００の異常（故障、放電等）も知ることができる。また、バッテリ残容量報知手段の各バッテリ１００に対応する各表示部６６が、電動刈り払い機１０の使用時において使用者から見える位置で各バッテリ１００の位置に対応している。したがって、使用者が各バッテリ１００の残容量を容易に知ることができる。
【００６０】
なお、表示器６５は、バッテリ１００の残容量を表示する報知する「バッテリ残容量報知手段」に相当する。また、例えば、前記実施形態４（図１６及び図１７参照）、及び、前記実施形態６（図１９及び図２０参照）のように、両バッテリ１００が左右に配置される場合には、表示器６５を両表示部６６が左右に並ぶように配置するとよい。また、表示器６５はモータハウジング１４に配置されていてもよい。また、バッテリ残容量報知手段としては、複数のバーで残容量を表示する表示器６５に限らず、色で表示するものでもよいし、点滅速度、音等で報知するものでもよい。また、各バッテリ１００が所定値を下回る残容量となった場合（駆動停止状態の場合）に、どのバッテリ１００が原因かを示す機能（ランプの点滅、赤色表示）を備えていてもよい。
【００６１】
［実施形態１３］
実施形態１３を説明する。図２９はバッテリ周辺部を示す側面図、図３０はモータハウジングを示す側面図、図３１はバッテリ周辺部を示す側面図である。複数（例えば２個）のバッテリを直列的に接続する場合には、少なくとも各バッテリの電圧を監視するバッテリコントローラを備えることが望ましい。バッテリコントローラは、電動モータ１８の駆動状態を制御するモータコントローラと一体（一つのマイコンで処理を行う）であってもよいし、モータコントローラと別体（別々のマイコンで処理を行う）であってもよいが、占有空間の減少、配線の削減などの観点から、モータコントローラと一体であることが望ましい。
【００６２】
本実施形態では、図２９に示すように、前記実施形態１（図２参照）のバッテリ取り付け基台部５０内にバッテリコントローラ７０が配置されている。このように、バッテリコントローラ７０は、配線の削減の観点からは、バッテリ１００の近傍に配置することが望ましい。
また、図３０に示すように、バッテリコントローラ７０は、モータハウジング１４内に配置することができる。この場合、通常、電動モータ１８の出力軸１８ａに取り付けられるファンにより発生する空気流にバッテリコントローラ７０が晒されるように配置することが望ましい。これにより、発熱するバッテリコントローラ７０を冷却することができる。この場合、モータハウジング１４に形成された吸気孔から始まり電動モータ１８のファンへ通じる空気通路、又は、電動モータ１８のファンから始まりモータハウジング１４に形成された排気孔へ通じる空気通路のうちのいずれかの通路の途中にバッテリコントローラ７０を配置することが望ましい。さらに、バッテリコントローラ７０は、空気流により一層冷却されやすい電動モータ１８の近傍に配置することが望ましい。
また、図３１に示すように、バッテリコントローラ７０は、操作竿１２内に配置してもよい。この場合、バッテリコントローラ７０は、操作竿１２の把持ハンドル部２４の近傍に配置することが望ましい。また、バッテリコントローラ７０は、把持ハンドル部２４尚に配置してもよい。
【００６３】
［変更例］
前記実施形態には種々変更を加えることができる。例えば、操作竿１２（把持ハンドル部２４を含む）のバッテリ取り付け部５２は、２個に限らず、３個以上としてもよい。また、複数のバッテリは、直列に接続する他、並列に接続してもよい。また、バッテリには、電動工具用バッテリに限らず、専用のバッテリを用いてもよい。また、バッテリには、１８Ｖバッテリの他、２４Ｖバッテリ、１４．４Ｖバッテリ、１０．８Ｖバッテリ等を用いてもよい。また、バッテリには、スライド着脱式のバッテリに限らず、筒状に形成されたバッテリ取り付け部５２の中空部内に対してバッテリを挿脱する形式いわゆる挿し込み式バッテリを用いてもよい。また、前記実施形態では、同一のバッテリを複数用いた例を示したが、複数のバッテリとして、異なる容積、異なる重量のバッテリを用いるものであってもよい。
【００６４】
また、操作竿１２の把持ハンドル部２４の形状も円環状に限らず、一部を開口するＣ字環状、角枠状等のように適宜変更してもよい。また、操作竿１２に、別体で形成した把持ハンドル部２４を取り付けてもよい。また、フロントグリップ２６についても、把持ハンドル部２４と同様、作業するときに作業者によって把持する把持部に相当するから、操作竿１２の一部として見なすことができる。このため、フロントグリップ２６にバッテリ取り付け部５２を設けてもよい。
【００６５】
また、前記実施形態において、種々のバッテリ配置形態を示したが、バッテリの配置は実施形態に限られるものではない。例えば、複数のバッテリは、操作竿１２（把持ハンドル部２４を含む）のどの部位にも並列的あるいは縦列的あるいは分散的に配置することができる。また、モータハウジング１４に少なくとも１個のバッテリが配置されていてもよい。また、バッテリの配置に応じてバッテリ取り付け部５２を設定すればよい。
【００６６】
また、複数のバッテリの着脱方向は、同方向でもよいし、異なる方向でもよい。また、複数のバッテリの取り付け側の面の向きも、同方向でもよいし、異なる方向でもよい。また、複数のバッテリの取り付け側の面の向きも、同方向でもよいし、異なる方向でもよい。また、バッテリ取り付け基台部５０，５１を省略し、バッテリ取り付け部５２を操作竿１２（把持ハンドル部２４を含む）に直接的に設けてもよい。
【００６７】
また、バッテリ取り付け基台部５０のバッテリ取り付け部５２に取り付けた２個（複数）のバッテリ１００、あるいは、バッテリ取り付け基台部５１のバッテリ取り付け部５２に取り付けたバッテリ１００の周囲（長手方向に交差する方向の周囲）を覆う囲繞部材を設けることにより、バッテリ１００を防護するとよい。この場合、囲繞部材におけるバッテリ１００の着脱用の開口部と反対側の開口部についても閉鎖することが望ましい。また、前記実施形態１１（図２５参照）で例示したように、バッテリ取り付け部５２に、バッテリ１００を取り外し方向に付勢する弾性部材６４を設けると、バッテリ１００の取り外しを容易に行うことができる。
【符号の説明】
【００６８】
１０…電動刈り払い機
１２…操作竿
１８…電動モータ
２０…カッターコード（回転刃）
２４…把持ハンドル部
３０…フック掛止部
３２…肩掛けバンド
３６…フック
５０…バッテリ取り付け基台部（２個のバッテリ取り付け部を備えるバッテリ取り付け基台部）
５１…バッテリ取り付け基台部（１個のバッテリ取り付け部を備えるバッテリ取り付け基台部）
５２…バッテリ取り付け部
１００…バッテリ
【図１】
2014147355.tif 000003
【図２】
2014147355.tif 000004
【図３】
2014147355.tif 000005
【図４】
2014147355.tif 000006
【図５】
2014147355.tif 000007
【図６】
2014147355.tif 000008
【図７】
2014147355.tif 000009
【図８】
2014147355.tif 000010
【図９】
2014147355.tif 000011
【図１０】
2014147355.tif 000012
【図１１】
2014147355.tif 000013
【図１２】
2014147355.tif 000014
【図１３】
2014147355.tif 000015
【図１４】
2014147355.tif 000016
【図１５】
2014147355.tif 000017
【図１６】
2014147355.tif 000018
【図１７】
2014147355.tif 000019
【図１８】
2014147355.tif 000020
【図１９】
2014147355.tif 000021
【図２０】
2014147355.tif 000022
【図２１】
2014147355.tif 000023
【図２２】
2014147355.tif 000024
【図２３】
2014147355.tif 000025
【図２４】
2014147355.tif 000026
【図２５】
2014147355.tif 000027
【図２６】
2014147355.tif 000028
【図２７】
2014147355.tif 000029
【図２８】
2014147355.tif 000030
【図２９】
2014147355.tif 000031
【図３０】
2014147355.tif 000032
【図３１】
2014147355.tif 000033
【図３２】
2014147355.tif 000034
【図３３】
2014147355.tif 000035